(57)【要約】【課題】ネットワーク化されているシステムにおいて、各々のシステムの消費電力の軽減、およびシステム設定の効率化を行うことが可能なデータバックアップシステムをもつ無線ネットワークシステムを提供すること。【解決手段】停電時や親システム２の内部電源３の電圧低下時に、親システム２が子システム７のシステム状態あるいは設定状態などを無線ブロック４、８を通して情報をやり取りし、親システム２の記憶ブロック５で保持することで、電源復旧した際に、親システム２から子システム７へデータを送信し、システムの状態や設定状態を復旧する。【選択図】図１
2006067419.tif 000002
【特許請求の範囲】
【請求項１】
外部電源のバックアップ用として内部動作電源と、システムの状態や動作制御データ等を送信あるいは受信する無線ブロックと、前記システムの状態などを記憶する記憶ブロックとを備えた親システムと、前記無線ブロックを通して送信されたデータを受け取るためやシステムの状態などを送信するための無線ブロックを備えた子システムで構成された無線ネットワークシステムにおいて、親システムで前記外部電源の供給が低下あるいは停止した際には前記内部動作電源からの電源供給に切り替わり、前記無線ブロックより子システムの状態および設定状態のデータを集めて前記記憶ブロックに記憶し、親システムで外部電源供給が復旧した際には、前記記憶ブロックに記憶されたシステムの状態および設定データ等を親システムから子システムへ送信することを特徴とした無線ネットワークシステム。
【請求項２】
親システムにおいて、外部電源の停止あるいは低下が復旧した際に、、電源の停止あるいは低下直後に記憶されたシステムの状態および設定データを子システムへ送信し、子システム側のシステム状態および設定が、親システムの外部電源供給停止あるいは低下以前の設定に設定することを特徴とした請求項１記載の無線ネットワークシステム。
【請求項３】
親システムでの外部電源供給停止あるいは低下以前の子システムの設定データを、親システムの無線ブロックから無線ブロックを通して子システムを設定する際に、子システムがあらかじめ定められた不安全動作とならないよう設定をおこなうことを特徴とした請求項２記載の無線ネットワークシステム。
【請求項４】
子システムに供給される電源が停止あるいは低下を検知した際には、子システム全体が停止する前に、子システムのシステム状態あるいは設定状態データを親システムへ送信し、親システムの記憶ブロックへ記憶することを特徴とした請求項１から３のいずれか１項記載の無線ネットワークシステムシステム。
【請求項５】
親システムにおいて、  バックアップ用の内部動作電源で動作時に内部動作電源の低下を検知した際には、親システムの状態あるいは設定データなどを親システムの記憶ブロックに記憶し、外部電源が復旧した際には、親システムは前記記憶ブロックよりデータを読み出し、記憶されていた親システムの状態あるいは設定を行うことを特徴とした請求項１から４のいずれか１項記載の無線ネットワークシステム。
【請求項６】
親システムの内部動作電源の供給停止あるいは低下を検知し、親システムが停止した後に、外部電源が復旧した際には、親システムは記憶ブロックよりデータを読み出し、あらかじめ定められた不安全動作とならないよう設定を行うことを特徴とした請求項５記載の無線ネットワーク。
【請求項７】
親システムの内部動作電源が低下して親システムが停止後、親システムへの外部供給電源が復旧し、親システムの記憶ブロックより、システム停止以前の親システムの状態や設定を読み出し設定あるいは状態にする際には、親システムおよび無線ブロックを通して制御される子システムがあらかじめ定められた不安全動作とならないよう設定をおこなうことを特徴とした請求項１〜６のいずれか１項記載の無線ネットワークシステム。
【発明の詳細な説明】
【技術分野】
【０００１】
本発明は、無線ブロックを持ったシステムで親システムが、一つあるいは複数のシステムを制御する機器を制御する構成となっている無線ネットワークシステムに関するものである。
【背景技術】
【０００２】
従来の機器では、システムごとにシステムの設定が行われているものが大多数であり、システム内のコントローラにそれぞれのシステムの状態や設定が記憶されている。たとえば特許文献１に記載された従来の空気調和機では、ワイヤレスリモコンが本体機器の状態を記憶し、停電が発生した際には、ワイヤレスリモコンが、停電前の状態を記憶し、復帰まで定期的にデータ送信を機器本体に行っていた（例えば、特許文献１）。
【特許文献１】特開平７−２２５０４５号公報
【発明の開示】
【発明が解決しようとする課題】
【０００３】
しかしながら、前記従来技術では、システムに供給される電源が復旧するまで無制限にワイヤレスリモコンから本体機器に情報を送信しつづけなく、ワイヤレスリモコンの電源供給の問題が存在する。
【０００４】
また、個々のシステムがシステム内で設定を操作側で記憶すること構成をとると、複数のシステムで同様のことを行う必要性があり、ネットワークを組んで構成しているシステムも増加しているため簡便さに欠けるという課題を有していた。
【０００５】
本発明は、ネットワーク化されているシステムにおいて、各々のシステムの消費電力の軽減、およびシステム設定の効率化を行うことが可能なデータバックアップシステムをもつ無線ネットワークシステムを提供する。
【課題を解決するための手段】
【０００６】
前記従来の課題を解決するために、本発明の無線ネットワークシステムにおけるデータバックアップは、停電時や電圧低下時に、親システムが子システムのシステム状態あるいは設定状態などを無線ブロックを通して情報をやり取りし、親システムの記憶ブロックで保持することで、電源復旧した際に、親システムから子システムへデータを送信し、システムの状態や設定状態を保持するものである。
【発明の効果】
【０００７】
本発明の無線ネットワークシステムは、親システムが子システムの状態、設定状態を記憶することで、停電や電源低下などの状態において、システムの状態や設定を電源復旧後に簡便に保持できることがきる。
【発明を実施するための最良の形態】
【０００８】
第１の発明は、商用電源などの外部電源に接続する親システムにおいて、内部に商用電源などの外部から供給される電源とは別にバックアップ用として内部動作電源をもち、システムの状態、動作制御データ等を他のシステムへ送信、あるいは受信する無線ブロックを持ち、他のシステムの状態、あるいは当システムの状態などを記憶する記憶ブロックをから構成される親システムと、前記無線ブロックを通して送信されたデータを受け取るための無線ブロックを持ち合わせた他のシステム（以下、子システム）で構成されたシステムにおいて、親システムに商用電源などの外部電源の供給が低下、あるいは停止した際には親システムの電源供給は同システム内の内部動作電源に切り替わり、無線ブロックより子システムの状態、および設定状態のデータを集め、前記記載の記憶ブロックに記憶し、親システムに商用電源などの外部電源供給が復旧した際には、親システムから子システムへ前記記載の記憶ブロックに記憶されたシステムの状態、および設定データ等を送信することができる無線ネットワークシステムで、商用電源などの外部電源が停止あるいは低下した後に、効率的に親システムに接続されている子システムの設定や状態を復旧できる無線ネットワークシステムである。
【０００９】
第２の発明は、商用電源などの外部電源に接続された親システムにおいて、外部から供給された電源の停止あるいは低下が復旧した際に、子システムへ、電源の停止あるいは低下直後に記憶されたシステムの状態および設定データを送信し、子システム側のシステム状態および設定が、親システムの外部電源供給停止あるいは低下以前の設定に設定することができるシステムであり、一度設定された状態を常に維持することが可能となる。
【００１０】
第３の発明は、親システムへの外部電源供給停止あるいは低下以前の子システムの設定データを親システムの無線ブロックから子システムの無線ブロックを通して子システムを設定する際に、子システムが、あらかじめ定められた不安全動作とならないような設定をおこなうことを特徴としたシステムであり、商用電源など外部から供給される電源が、停止あるいは低下した後、復旧した際に、停止あるいは低下以前の設定状態あるいはシステムの状態を安全に保持することができる。
【００１１】
第４の発明は、子システムに供給される電源が停止あるいは低下を検知した際には、子システム全体が停止する前に、子システムの無線ブロックを通し、子システムのシステム状態あるいは設定状態データを親システムへ送信することで、子システム側に供給される電源の停止あるいは低下が生じた際に、システムの設定あるいは状態を親システムへ送信し、子システム側の電源の停止あるいは低下が解決された際にはデータを子機側に戻すこおとで、子システムのシステムの設定状態やシステム状態を保持することができる。
【００１２】
第５の発明は、親システムにおいて、バックアップ用の内部動作電源で動作時に電源低下を検知した際には、親システムの状態あるいは設定データなどを同システムの記憶ブロックに記憶し、商用電源などの外部電源が復旧した際には、親システムは同システムの記憶ブロックよりデータを読み出し、記憶されていた親システムの状態あるいは設定を行う。これにより親システムへの電源供給が完全に停止あるいは低下した際においてもシステム全体の状態あるいは設定状態を保持することが可能であり、電源復旧時には、それ以前に記憶したシステムの状態あるいは設定状態で動作することが可能である。
【００１３】
第６の発明は、親システムの内部動作電源の供給停止あるいは低下を検知し、親システムが停止した後に、商用電源などの外部より供給される電源が復旧した際には、親システムは前記記載の記憶ブロックよりデータを読み出し、あらかじめ定められた不安全動作とならないように設定を行うことで、外部より供給された電源が普及した際にシステムの状態を安全に保持することが可能である。
【００１４】
第７の発明は、親システムにおいて、バックアップ用の内部動作電源が低下し、システムが停止後、親システムへの商用電源などの外部から供給される電源が復旧し、親システム内の記憶ブロックより、システム停止以前の親システムの状態、設定を読み出し設定あるいは状態にする際には、親システムおよび、無線ブロックを通して制御される子システムがあらかじめ定められた不安全動作とならないような設定をおこなうことで、商用電源などの外部から供給される電源が復旧後もシステム全体を安全に保つことが可能となる。
【００１５】
以下、本発明の実施の形態について、図面を参照しながら説明する。なお、この実施の形態によって本発明が限定されるものではない。
【００１６】
（実施の形態１）
図１は本発明の実施の形態１における無線ネットワークシステムの親システムと子システムを示すブロック図である。
【００１７】
１は商用電源などの外部電源、２は親システムを示す。３は前記記載の親システム内のバックアップ用内部電源、４は後記記載の子システムとデータ送受信を行う無線ブロック、５はシステム全体の状態や設定などを記憶する記憶ブロック、６はこの親システム内の動作を制御する制御ブロックを示す。７は２の親システムとデータ送受信を行う、子システムである。８は２の親システム内４の無線ブロックと情報のやり取りを行う無線ブロックである。また、９は７の子システム内の電源であり、１０は７の子システムをコントロールする制御ブロックである。
【００１８】
図１に示す親システムと子システム間で通常、無線ブロックを通じて動作制御に関するデータのやり取り行い、親システムが子システムを制御するが１の商用電源などの外部より供給される電源が停止あるいは低下した際には、制御ブロック６がこれを検知し、親システム２に供給されている電源を内部電源３に切り替える、あるいは外部電源と同じに供給するような状態にし、無線ブロック４を通じ、子システム７内の無線ブロック８へ、子システム７のシステム状態あるいは設定状態などのデータを要求する。
【００１９】
子システム７は、子システム制御ブロック１０より、システムの状態あるいは設定状態などのデータを無線ブロック８より送信し、親システム２の無線ブロック４、制御ブロック６を経て記憶ブロック５へ、子システム７より得たデータを記憶する。
【００２０】
また商用電源１などの外部より供給される電源が復旧した際には、制御ブロック６より記憶ブロック５に記憶されていた子システム７の状態や設定状態を読み出し、無線ブロック４を経て、子システム７の無線ブロック８へ送信し、子システムを外部電源が停止あるいは低下する前の状態へ制御あるいは設定を行う。この際、親システム２と子システム７との間であらかじめ決められた不安全動作にならないような制御データが送信される。
【００２１】
例として家庭内の空調設備などを集中管理するシステムをあげる。図１に示す親システム２は、空調設備を集中管理するコントローラにあたる。図２は１つの空調設備の例である。図２の８は無線ブロックで図１に示す親システムの無線ブロック４からの制御情報を受け取り、無線コントローラ１３を介して空調ブロック１４を制御する。１２は無線コントローラ１３と無線ブロック８に供給される電源であり空調ブロック１４の電源は別になっている。
【００２２】
図１に示す集中管理を行うコントローラ２（親システム）において、外部より供給される商用電源１などが低下あるいは停止すると、電源を内部電源３に切り替えるか外部電源１と同時に使用して、無線ブロック４を通して、図２に示す個々の空調設備に設定情報や状態情報を要求する。
【００２３】
たとえば、空調ブロック１４が運転中であるか否か、運転中であれば、運転の種類、設定温度、設定湿度、風量など、また停止中であれば、タイマー予約があるか否か、予約があれば、予約内容、およびシステムに設定されている機器の制御に関するデータなどである。また時刻設定などを、コントローラ１３、無線ブロック８を通して、集中管理コントローラ２へ送信し、記憶ブロック５へ送り記憶する。
【００２４】
商用電源などの外部より供給される商用電源１が復旧した場合には、記憶ブロック５に記憶された空調システム１１の設定データ、および状態データなど、電源停止または低下が生じた際に記録したデータを制御ブロック６、無線ブロック４を通して空調システム１１内の無線ブロック８を介して、コントローラ１３、空調ブロック１４へ、データが復元される。
【００２５】
空調ブロック１４は、この状態データおよび設定データをもとに、運転に関する制御が行われる。この際、あらかじめ定められた不安全動作モードへは移行しないような制御が行われる。
【００２６】
これにより、複数の空調システムを１つのコントローラで制御する際には、それぞれ独立に状態データ、設定データ、外部から供給される商用電源が停止、低下した際にも設定を保持することができ、効率的にシステムを管理できる。
【００２７】
（実施の形態２）
図３は本発明の実施の形態２における無線ネットワークシステムのブロック図である。
【００２８】
親システム２は、１の商用電源などの外部より供給される電源２と、内部動作電源３と、制御対象１５へ制御データを送信あるいは制御対象１５からのデータを受信する無線ブロック４、データを蓄積できる記憶ブロック５より構成されている。
【００２９】
制御対象１５は、商用電源１９など外部より供給される電源で制御コントローラ１８を動作させている。制御コントローラ１８は親システム２からの制御データを、制御対象１５とは別に接続された無線インターフェース１７を介して受け取る。
【００３０】
無線インターフェース１７は無線ブロック１６と無線ブロック用内部電源９で構成されている。
【００３１】
親システム２において商用電源などの外部より供給される電源１が低下した際には、内部動作電源３に切り替える、あるいは、同時に使用する形態に切り替え、無線ブロック４より、制御対象１５の状態データおよび設定データ、あるいは、電源の供給状況などを無線インターフェース１７の無線ブロック１６を介し、親システム２の無線ブロック４を通じ記憶ブロック５にデータを蓄積する。同時に商用電源１９などの供給が継続してされている場合は、制御対象１５が不安全動作に至らないような判断を下し、親システム２の無線ブロック４を通じて制御データを送信し、制御対象１５側は無線インターフェース１７の無線ブロック１６を通じコントローラ１８で制御を行う。
【００３２】
また、親システム２内の内部動作電源３の電圧低下、あるいは停止が予測できた際には、無線ブロック４を通じ制御対象１５へ無線ブロック１６を介し、コントローラ１８へ制御対象を停止あるいは不安全動作にならないような制御データを送るともに、送信した制御データを記憶ブロック５へ蓄積する。この際、親システム２としても不安全動作とならないよう制御を行う。
【００３３】
その後、商用電源１などの外部より供給される電源が復旧した際には、親システム２は無線ブロック４、１６を介して制御対象１５の状態データ、電源供給状況を確認し、記憶ブロック５に蓄積されていた、制御対象１５の設定データなどを、無線ブロック４、１６を介して制御対象１５のコントローラ１８へ設定データを送り、制御対象１５に対し、商用電源１が停止、あるいは低下する以前あるいは、内部動作電源３が停止する以前の設定、動作制御を行う。この際、制御対象１５が不安全動作にならないような設定を確認し設定、動作を行う。
【００３４】
また制御対象１５に、商用電源などの外部より供給されている電源１９が低下あるいは停止した際には、無線インターフェース１７の無線ブロック１６を通じて、制御対象１５の電源状態、あるいはシステム状態、設定状態を親システム２の無線ブロック４へ送信し、記憶ブロック５へ蓄積する。
【００３５】
電源１９の供給が復旧した際には、制御対象１５はコントローラ１８は無線インターフェース１７の無線ブロック１６を介し親システム２へ外部より供給される電源１９が復旧したーデータが送信される。
【００３６】
これに伴い、親システム２の記憶ブロック５に蓄積されていた設定データ、状態データなどを制御対象１５へ無線インターフェース１７を介し送信し、外部より供給される電源１９が低下あるいは停止する以前の状態に設定する。この際、制御対象１５が不安全動作にならないように制御データが送信され、コントローラ１８は制御対象１５を設定、動作させる。
【００３７】
制御対象１５に接続されている無線インターフェース１７の内部電源９が低下した際あるいは停止した際には、制御対象１５のコントローラ１８は制御対象は不安全動作にならないように状態制御を行う。
【００３８】
また親システム２は、無線インターフェース内の内部電源９が低下あるいは停止する直前の制御対象１５の状態データ、設定データを５の記憶ブロックに蓄積する。その後、無線インターフェース内の内部動作電源９が復旧した際には、１６の無線ブロックを介し、無線ブロック１７内の内部電源９の状態を親システム２へ送信する。
【００３９】
同時に、制御対象１５の状態データ、設定データも送信し、内部電源９が低下あるいは停止する直前の制御対象１５の状態データ、設定データを記憶ブロック５より出し、無線ブロック４、無線インターフェース１６を介し制御対象１５へ送信する。この際、制御対象１５が不安全状態に陥らないよう、コントローラ１８は制御を行う。
【００４０】
具体的な例として、家庭内のあらゆる機器を制御する管理システムをあげる。制御対象としては、空調設備、給湯設備、照明設備、テレビ、オーディオ、ビデオなどの記憶システム、洗濯機、炊飯器、食器洗機、温水便座、錠開閉システム、生体情報を計測するあらゆるシステム、人感知センサ、ガス漏れセンサなどの各種防犯・警報機などがあたる。
【００４１】
またこれらを親システムとして集中コントローラがあり、無線インターフェースを介して、制御対象を制御し、同時に、集中コントローラの電源状態の停止あるいは低下した際には、内部動作電源から電源供給を行い、制御対象それぞれの設定状態あるいは、システム状態、電源状態のデータを無線インターフェースを通じ収集し、記憶ブロックへ蓄積する。
【００４２】
外部より供給される電源が供給される電源が復旧した際には、集中コントローラの記憶ブロックに蓄積されていた制御対象の設定データや電源停止直前の状態データを読み出し、無線ブロックを、無線インターフェースを介しそれぞれの制御対象へ送る。たとえば、テレビ録画機の録画予約、洗濯機の洗濯予約、空調機器の温度設定などを送信する。また、制御対象が不安全動作にならないよう、動作も電源停止直前の状態になるよう制御をおこなう。
【００４３】
集中コントローラと制御対象間の制御データ、制御対象の状態データ、設定データ、電源データの通信は一定間隔で行われ（電源変動がなくても行う）、それらのデータは場合によっては、集中コントローラの記憶ブロックへ蓄積される。
【産業上の利用可能性】
【００４４】
以上のように、本発明にかかる、無線ネットワークシステムが、親システムが複数の子システムの状態、設定状態を記憶することで、停電や電源低下などの状態になった場合、システムの状態や設定を電源復旧後にも簡単に保持することができ、家庭内のネットワークシステム、工場のプラントシステム、商業スペースの管理システムといった限られた範囲のネットワークシステムだけでなく、交通管制システムや、複数のネットワークシステムが連なる大規模ネットワークシステムでの状態設定、状態の保持などの用途にも適用できる。
【図面の簡単な説明】
【００４５】
【図１】本発明の実施の形態１における親システムと子システムのブロック図
【図２】本発明の実施の形態１における子システムのブロック図
【図３】本発明の実施の形態２における親システムと子システムのブロック図
【符号の説明】
【００４６】
１  外部電源
２  親システム
３  親システムの内部電源（内部動作電源）
４  親システムの無線ブロック
５  親システムの記録ブロック
６  親システムの制御ブロック
７  子システム
８  子システムの無線ブロック
９  子システムの電源
１０  子システムの制御ブロック
１１  空調システム
１２  空調システム内の無線ブロックの電源
１３  無線ブロックのコントローラ
１４  空調ブロック
１５  親システムの制御対象
１６  無線ブロック
１７  無線インターフェース
１８  親システムの制御対象の制御コントローラ
１９  親システムの制御対象の外部供給電源
【図１】
2006067419.tif 000003
【図２】
2006067419.tif 000004
【図３】
2006067419.tif 000005